(57)【要約】【課題】筐体に伝わる不要な振動音で音質の悪化が生じる問題の解決や振動による電子部品の誤操作・作動不良を防止する。【解決手段】スピーカ装置１０の振動板２４に接続された第１の振動系１２とは別に、第１の振動系１２と反対方向に駆動される第２の振動系１３を設ける。磁気回路１１は、第１、第２のプレート１５，１８とヨーク１６とマグネット１７とからなり、第１の振動系１２は、第１のボイスコイル２０が振動板２４及びフレーム２５に連結され、第２の振動系１３は、第２のボイスコイル２１が第２のダンパー３６を介してフレーム２５に連結される。【選択図】  図２
2004248007.tif 000002
【特許請求の範囲】
【請求項１】
磁気回路によって駆動される第１の振動系と、前記磁気回路によって前記第１の振動系と反対方向に駆動される第２の振動系と、を有することを特徴とするスピーカ装置。
【請求項２】
前記磁気回路は、第１のプレートとヨークとマグネットと第２のプレートとからなり、
前記第１の振動系は、前記第１のプレートとヨークとの間の第１の磁気ギャップ中に第１のボイスコイルが挿入され、当該第１のボイスコイルが振動板及びフレームに連結されて構成され、
前記第２の振動系は、前記第２のプレートとヨークとの第２の磁気ギャップ中に第２のボイスコイルが挿入され、当該第２のボイスコイルは第２のダンパーを介してフレームに連結されて構成されたことを特徴とする請求項１に記載したスピーカ装置。
【請求項３】
前記第１の振動系の動きやすさと、前記第２の振動系の動きやすさとが略同じであることを特徴とする請求項２に記載したスピーカ装置。
【発明の詳細な説明】
【０００１】
【発明の属する技術分野】
本発明は、スピーカ装置に関し、特に磁気回路によって振動する振動系を備えたスピーカ装置に関する。
【０００２】
【従来の技術】
家庭用や車載用のスピーカ装置として、磁気回路によって振動する振動系を備えたスピーカ装置として、ムービングコイル方式によるドーム型のスピーカ装置が知られている。このようなスピーカ装置は、磁気回路内でボイスコイルに電磁駆動を与えることにより、ボイスコイルが振動板と一体となって振動し、音響エネルギを放射するものである。
【０００３】
図１は、従来のスピーカ装置の一構成例を示す図であり、Ａ−Ａ線の右側にその断面を示した図である。
従来のスピーカ装置１００は、図１に示すように、ヨーク１０１、プレート１０２、マグネット１０３からなる磁気回路１０４が設けられている。
【０００４】
そして、ヨーク１０１とプレート１０２との間に磁気ギャップＧが形成される。マグネット１０３は、プレート１０２とヨーク１０１との間に挟持された状態に配置されている。
【０００５】
また、スピーカ装置１００の振動系１１４は、磁気ギャップＧの中にボイスコイル１０５が挿入され、このボイスコイル１０５が振動板１０６及びフレーム１１１に連結されて構成されている。具体的には、ボイスコイル１０５が巻かれた筒状のボイスコイルボビン１０７の上端部が振動板１０６に連結されており、この振動板１０６のエッジ１０６ａがフレーム１１１に接着されて形成されているものである。
【０００６】
また、ボイスコイルボビン１０７には、ダンパー１１２が嵌合されており、ダンパー１１２の外枠１１２ａがフレーム１１１に固定されている。ボイスコイル１０５は、錦糸線１１３によって入力端子に電気的に接続されている。
【０００７】
【発明が解決しようとする課題】
前述のスピーカ装置１００は、振動系１１４の駆動時の反作用としてフレーム１１１が振動し、その振動が、スピーカ装置１００が取り付けられる筐体に伝わる可能性がある。
このように、筐体に不要な振動が伝わると、筐体自体が共振を起こして振動音を発したり、筐体内の接合部や接触部において所謂ビリ音が発生するなどして、スピーカ装置の音質の悪化が生じるという問題がある。
【０００８】
さらに、テレビやパーソナルコンピュータなどの電子機器に内蔵されたスピーカ装置では、これらの電子機器に実装された電子部品が、前述の筐体に伝わる不要な振動により誤操作・作動不良を起こす可能性があるという問題がある。
例えば、液晶表示装置において、液晶パネルにフラッシュ現象を生じる。
【０００９】
本発明が解決しようとする課題としては、上述した従来技術において生じている筐体に伝わる不要な振動で音質の悪化が生じる問題の解決やこの振動による電子部品の誤操作・作動不良を防止することなどがそれぞれ一例として挙げられる。
【００１０】
【課題を解決するための手段】
請求項１に記載した発明は、磁気回路によって駆動される第１の振動系と、前記磁気回路によって前記第１の振動系と反対方向に駆動される第２の振動系と、を有することを特徴とする。
【００１１】
【発明の実施の形態】
以下、本発明に係る実施の形態を図面に基づいて詳細に説明する。
図２は、本発明の実施の形態に係るスピーカ装置の構造を示す図であり、Ｂ−Ｂ線の右側にその断面を示した図である。図３は、図２のＣで示した部分の拡大図である。
【００１２】
本発明の実施の形態に係るスピーカ装置１０は、図２に示すように、音響エネルギを放射するための第１の振動系１２とは別に、磁気回路１１によって第１の振動系１２と反対方向に駆動される第２の振動系１３を有するものである。
【００１３】
さらに、本実施の形態に係るスピーカ装置１０の磁気回路１１の部分を図３を参照して説明する。
図３に示すように、スピーカ装置１０の磁気回路１１は、第１のプレート１５とヨーク１６とマグネット１７と第２のプレート１８とから構成されている。そして、第１のプレート１５とヨーク１６との間に第１の磁気ギャップＧＡが形成される。
【００１４】
また、第２のプレート１８とヨーク１６との間に第２の磁気ギャップＧＢが形成される。マグネット１７は、第１のプレート１５と第２のプレート１８との間に挟持された状態に配置されている。
【００１５】
また、図２に示すように、スピーカ装置１０の第１の振動系１２は、第１の磁気ギャップＧＡの中に第１のボイスコイル２０が挿入され、この第１のボイスコイル２０が振動板２４及びフレーム２５に連結されて構成されている。具体的には、第１のボイスコイル２０が巻かれた筒状の第１のボイスコイルボビン２３の上端部が振動板２４に連結されており、この振動板２４のエッジ２４ａがフレーム２５に接着されて形成されているものである。
【００１６】
また、第１のボイスコイルボビン２３には、第１のダンパー３０が嵌合されており、第１のダンパー３０の外枠４１がフレーム２５に固定されている。
【００１７】
また、第１のボイスコイル２０には第１の錦糸線３２が半田付けされている。これにより、第１のボイスコイル２０は、第１の錦糸線３２によってスピーカ装置１０の入力端子（図示せず）に電気的に接続されることにより音声信号が供給される。
【００１８】
一方、第２の振動系１３は、第２の磁気ギャップＧＢ中に第２のボイスコイル２１が挿入され、この第２のボイスコイル２１が第２のダンパー３６を介してフレーム２５に連結されて構成されている。具体的には、この第２のボイスコイル２１が巻かれた筒状の第２のボイスコイルボビン３５が第２のダンパー３６に嵌合されており、第２のダンパー３６を介してフレーム２５に連結されている。
【００１９】
次に、前述の第１の振動系１２からフレーム２５に伝わる振動を減衰させるべく設けられた第１のダンパー３０と、第２の振動系１３からフレーム２５に伝わる振動を減衰させるべく設けられた第２のダンパー３６とについて図４〜図７を参照して説明する。
【００２０】
図４は、第１のダンパー３０を示す斜視図であり、図５は、第２のダンパー３６を示す斜視図であり、図６は、第１のダンパー３０とフレームとの接続関係を示す図であり、図７は、第２のダンパーの給電構造を示す図である。
【００２１】
図４に示すように、第１のダンパー３０は、射出蝶ダンパーであり、外枠４１に弾性変形可能なアーム部４２を介して内枠４３が連結されている。また、内枠４３の内周には複数の突片４４が形成されている。
【００２２】
この複数の突片４４が第１のボイスコイル２０が巻かれた筒状の第１のボイスコイルボビン２３の外周に接触して保持し、外枠４１がフレーム２５に固定されている。これにより、第１のボイスコイル２０が、第１のダンパー３０を介してフレーム２５に連結されている。
【００２３】
図５に示すように、第２のダンパー３６は、射出蝶ダンパーであり、外枠４６に弾性変形可能なアーム部４７を介して内枠４８が連結されている。また、内枠４８の内周には複数の突片４９が形成されている。
【００２４】
この複数の突片４９が筒状の第２のボイスコイル２１が巻かれた筒状の第１のボイスコイルボビン３５の外周に接触して保持し、外枠４６がフレーム２５に固定されている。これにより、第２のボイスコイル２１が、第２のダンパー３６を介してフレーム２５に連結されている。
【００２５】
また、第１のダンパー３０とフレーム２５との接続は、図６に示すように、フレーム２５は略中央の内周面に段部５０が形成されている。この段部５０に第１のダンパー３０の外枠４１を固定することで、フレーム２５内に第１のダンパー３０が保持されている。
なお、第２のダンパー３６は、第２のプレートに直接固定されている。
【００２６】
第２のダンパーの給電構造は、図７に示すようになっており、第２のボイスコイル２１の外周に第２のダンパー３６の突片４９が配置された状態で、アーム部４７に第２の錦糸線５２を這わせ、ダンプ剤で固定されている。
【００２７】
この第２の錦糸線５２の先端は、第２のボイスコイル２１に半田付けにより電気的に接続されている。これにより、第２のボイスコイル２１は、第２の錦糸線５２によってスピーカ装置１０の入力端子に電気的に接続され音声信号が供給される。
すなわち、第２のボイスコイル２１に供給される音声信号は、前述の第１のボイスコイル２０と同一の音声信号が供給されることになる。
【００２８】
次に、本実施の形態に係るスピーカ装置の動作について説明する。
第１の振動系１２においては、第１の錦糸線より供給された音声電流が第１のボイスコイル２０に流れることにより、第１のボイスコイル２０が上下動し、振動板より音響エネルギが放射される。このとき、第１のボイスコイル２０の上下動の反作用として第１のプレート１５や第１のダンパー３０を介して不要な振動がフレーム２５に伝播する。
【００２９】
一方、第２の振動系１３においては、第２のボイスコイル２１に対しても第２の錦糸線より供給された音声電流が流れ、第２のボイスコイル２０が上下動する。このとき、第２のボイスコイル２１の上下動の反作用として第２のプレート１８や第２のダンパー３６を介して第１の振動系１２にて発生した不要な振動と逆向きの振動がフレーム２５に伝播する。
【００３０】
よって、第１の振動系１２にて発生した不要な振動と上記の第２の振動系１３から発生する逆向きの振動とが互いに打ち消しあい、フレーム２５の振動が極めて少なくなる。これにより、スピーカ装置１０が取り付けられる筐体に振動が伝わることを防ぐことができる。
【００３１】
また、第２の振動系１３は、第１の振動系１２と同一の磁気回路１１で駆動されるので、別途新たな磁気回路を設けずに構成でき、ヨーク、マグネット等を共有化できるので、比較的低コストかつ、薄型に振動抑制の機構が実現できる。
【００３２】
また、スピーカ装置１０は、第１の振動系１２の動きやすさと、第２の振動系１３の動きやすさとが略同じに構成されることにより、第１の振動系１２で発生した不要な振動と、第２の振動系１３で発生する逆向きの振動の大きさが略同じ大きさとなり、不要な振動をより効果的に打ち消すことができる。
【００３３】
なお、実施の形態においては、コーン型のスピーカ装置１０について説明したが、本発明の構成は磁気回路を使用したスピーカ装置ならばドーム型など他の型のものに適用することもできる。
【００３４】
また、図４及び図５に示す第１、第２のダンパー３０，３６として射出蝶ダンパーを例に挙げて説明したが、スピーカ装置で通常使用される種類の他のダンパーを使用することも可能である。
【００３５】
以上のように、本実施の形態のスピーカ装置１０は，磁気回路１１によって駆動される第１の振動系１２と、磁気回路１１によって第１の振動系１２と反対方向に駆動される第２の振動系１３とを有することにより、第１、第２の振動系１２，１３が互いに反対方向に動作して不要な振動を打ち消しあい、フレーム２５の振動を極めて小さくできる。
【００３６】
これにより、フレーム２５を支える筐体の不要な振動を減少させ、筐体自体が共振を起こして振動音を発したり、筐体内の接合部や接触部において所謂ビリ音が発生するなどによるスピーカ装置の音質の悪化を防ぐことができる。
【００３７】
さらに、テレビやパーソナルコンピュータなどの電子機器に内蔵されたスピーカ装置では、これらの電子機器に実装された電子部品の筐体に伝わる不要な振動による誤操作・作動不良を防ぐことができる。
【００３８】
また、本発明は、前述した実施の形態に限定されるものでなく、適宜な変形，改良等が可能であり、前述した実施の形態において例示した磁気回路１１、第１の振動系１２、第２の振動系１３、第１のプレート１５、ヨーク１６、マグネット１７、第２のプレート１８、フレーム２５、第１のダンパー  及び第２のダンパー  等の材質，形状，寸法，形態，数，配置個所，厚さ寸法等は本発明を達成できるものであれば任意であり、限定されない。
【図面の簡単な説明】
【図１】従来のスピーカ装置を示す断面図である。
【図２】本発明の実施の形態に係るスピーカ装置を示す断面図である。
【図３】図２におけるＣ部の拡大図である
【図４】本発明の実施の形態を構成する第１のダンパーを示す斜視図である。
【図５】本発明の実施の形態を構成する第２のダンパーを示す斜視図である。
【図６】本発明の実施の形態を構成する第１のダンパーとフレームとの接続関係を示す図である。
【図７】本発明の実施の形態を構成する第２のダンパーの給電部構造を示す図である。
【符号の説明】
１０  スピーカ装置
１１  磁気回路
１２  第１の振動系
１３  第２の振動系
１５  第１のプレート
１６  ヨーク
１７  マグネット
１８  第２のプレート
２０  第１のボイスコイル
２１  第２のボイスコイル
２４  振動板
２５  フレーム
３０  第１のダンパー
３６  第２のダンパー
ＧＡ  磁気ギャップ
ＧＢ  磁気ギャップ
【図１】
2004248007.tif 000003
【図２】
2004248007.tif 000004
【図３】
2004248007.tif 000005
【図４】
2004248007.tif 000006
【図５】
2004248007.tif 000007
【図６】
2004248007.tif 000008
【図７】
2004248007.tif 000009